(57)【要約】【課題】スイッチの切り忘れによる電源の消耗を防ぐとともに、不用意にＳＥ状態になることのない使い勝手の良い閃光撮影装置を提供する。【解決手段】閃光撮影装置とそれに接続可能な外部電源が複数あるものにおいて、外部電源は閃光撮影装置から起動され、外部電源の容量によって異なる制御信号を発生し、その制御信号によって閃光撮影装置のＳＥタイマーを可変とする。【選択図】図１
2004004374.tif 000002
【特許請求の範囲】
【請求項１】
内臓した小型直流電源をＤＣ／ＤＣコンバータにて昇圧した直流で充電されると共に、外部電源接続端子に接続された外部電源の直流からも充電されるメイン・コンデンサの充電負荷を消費して閃光放電管が発光する閃光撮影装置において、
外部電源端子に接続された外部電源装置からの信号によって前記メイン・コンデンサの充電を制御する制御回路を有することを特徴とする閃光撮影装置。
【請求項２】
前記外部電源装置から検出した信号に基づいて前記メイン・コンデンサの充電持続時間を変更する制御回路を有することを特徴とする請求項１に記載の閃光撮影装置。
【請求項３】
前記外部電源装置の信号を検出した場合は、検出しない場合よりも前記メイン・コンデンサの充電持続時間を長くする制御回路を有することを特徴とする請求項１に記載の閃光撮影装置。
【請求項４】
前記外部電源端子にＡＣ電源を接続されていることを検出したときは前記メイン・コンデンサの充電持続時間を無限大とする制御回路を有することを特徴とする請求項１に記載の閃光撮影装置。
【発明の詳細な説明】
【０００１】
【発明の属する技術分野】
本発明は写真撮影に有用される写真用閃光装置に関するもので、電源の損失を極力押さえたＳＥ（Ｓａｖｅ　Ｅｎｅｒｇｙ）機能と外部電源に関するものである。
【０００２】
【従来の技術】
近年の写真用閃光装置は小型化を目指しているため、電源電池は単３や単４電池４本が一般的である。しかしながら、これらの電源では電源スイッチを入れてから発光可能状態になるまで、時間がかかるため、迅速な撮影が出来ないという欠点を有していた。これを解消するために外部電源を接続するコネクターを設け、大容量の外部電源を接続可能にし、発光可能状態になるまでの時間が短くなる様にした。
【０００３】
一方、上記の閃光装置を単体で使用する場合、上記のような電源では、電源スイッチを投入して、撮影を終えた後、電源スイッチを切り忘れることがあるために電池の無駄な損失、消耗になる。これを防止するためのある時間閃光装置の操作を全くしなかった場合に、電源を自動的にオフする機能（以降ＳＥ機能と呼ぶ）を持たせるようになった。
【０００４】
【発明が解決しようとする課題】
しかしながら、ＳＥ機能が事前に決められた時間（以降ＳＥタイマーと呼ぶ）後働いてしまうと、再起動スイッチなどを押してＤＣ／ＤＣコンバーターなどの回路を再起勤し、メインコンデンサーヘの充電が完了しないと発光可能状態にならず、閃光写真撮影ができない。
【０００５】
プロカメラマンやハイアマチュアはカメラや閃光装置を被写体に向けて構図をセッティングし、タイミングを狙って撮影をすることが往々にしてある。このような時にＳＥタイマーが働いてしまったのではシャツターチャンスを逃してしまう。
【０００６】
本発明はこのような問題点に鑑みなされたもので、スイッチの切り忘れによる電源の消耗を防ぐとともに、不用意にＳＥ状態になることのない使い勝手の良い閃光撮影装置を提供することを目的とするものである。
【０００７】
【課題を解決するための手段】
請求項１に記載の発明は、内臓した小型直流電源をＤＣ／ＤＣコンバータにて昇圧した直流で充電されると共に、外部電源接続端子に接続された外部電源の直流からも充電されるメイン・コンデンサの充電負荷を消費して閃光放電管が発光する閃光撮影装置において、外部電源端子に接続された外部電源装置からの信号によって前記メイン・コンデンサの充電を制御する制御回路を有する構成となっている。
【０００８】
請求項２に記載の発明は、前記外部電源装置から検出した信号に基づいて前記メイン・コンデンサの充電持続時間を変更する制御回路を有する構成となっている。
【０００９】
請求項３に記載の発明は、前記外部電源装置の信号を検出した場合は、検出しない場合よりも前記メイン・コンデンサの充電持続時間を長くする制御回路を有する構成となっている。
【００１０】
請求項４に記載の発明は、前記外部電源端子にＡＣ電源を接続されていることを検出したときは前記メイン・コンデンサの充電持続時間を無限大とする制御回路を有する構成となっている。
【００１１】
なお、閃光装置のＳＥ機能が外部電源を接続している場合には、その外部電源の種類によってＳＥタイマーを延ばしたり、ＳＥ機能を不作動にして、迅速な撮影が可能となるようにするようにしてもよい。
【００１２】
【発明の実施の形態】
（第１の実施例）
図１は本発明の閃光装置の回路図を示すもので、
１；外部電源接続端子（高圧）
２；外部電源接続端子（制御）
３；外部電源接続端子（ＧＮＤ）
４；閃光撮影装置に内蔵される電源、一般的に単３型アルカリ電池４本
５；マイコン用の電源を作る定電圧回路
６；閃光撮影装置を制御するマイコン
Ｄ／Ａ端子は定電圧を発生し、図２の外部電源に内蔵された抵抗と瓦の比でＡ／Ｄ端子の電圧が決　定し、６は外部電源の種類を判別することが出来る。
７；所謂電源スイッチで、ＯＦＦ、ＯＮ（常時電源ＯＮ）、ＳＥ（ＳＥ機能作動時）のポジションがある。
８　；　ＳＥ作動時リセットかけ、再充電を開始するスイッチ
９　；昇圧回路、マイコンのＣＮＴ端子に接続されており、１０への充電を制御する。
１０　；　メインコンデンサー
１１　；　トリガー回路
１２　；　Ｘ接点
１３　；閃光発光管
１４、１５　；高圧逆流防止用ダイオード
図２は図１の１、２、３に接続される各種外部電源
（ａ）；高電圧を発生する積層電池２０を電源とする外部電源。２１は２０の出力を制御する制御素子、２２はａ−２からの信号を受けて２１を制御する制御回路である。
【００１３】
ａ−１、ａ−２、ａ−３；それぞれ図１の１、２、３に接続される端子で、高圧端子、制御端子、ＧＮＤである。
【００１４】
Ｒａは図１のＲｏとの比で、外部電源を識別するための抵抗である。
【００１５】
（ｂ）　；単３型や単２型の乾電池を数本（ここでは６本）２３を電源とし、昇圧回路を備えその出力で高圧を発生する外部電源。２４は昇庄回路とｂ−２からの信号を受けて昇圧回路を制御する制御回路を含んでいる。
【００１６】
ｂ−１、ｂ−２、ｂ−３；それぞれ図１の１、２、３に接続される端子で、高圧端子、制御端子、ＧＮＤである。
【００１７】
Ｒｂは図１のＲｏとの比で、外部電源を識別するための抵抗である。
【００１８】
（ｃ）；商用電源を電源とし、昇圧回路を備えその出力で高圧を発生する外部電源。２５は昇圧回路とｃ−２からの信号を受けて昇圧回路を制御する制御回路を含んでいる。
【００１９】
ｃ−１、ｃ−２、ｃ−３；それぞれ図１の１、２、３に接続される端子で、高圧端子、制御端子、ＧＮＤである。
【００２０】
Ｒｃは図１のＲｏとの比で、外部電源を識別するための抵抗である。
【００２１】
〔動作説明〕
図１において外部電源が接続されていない単体の場合、７をＯＮにすると６のＣＮＴ端子から９へ信号が出て、１０への充電を開始する。充電完了後２をＯＮすると１３は閃光発光する。
【００２２】
７をＳＥのポジションにセットした場合は、１０への充電完了後所定時間（例えば９０秒）経つと、６のＣＮＴ端子から９へ信号が出て、９は停止する。再充電を開始する場合は、８をＯＮすることにより、再度６のＣＮＴ端子から９へ信号が出て、１０への充電を開始する。
【００２３】
図１において１〜３に図２（ａ）の外部電源が接続された場合それぞれａ−１、ａ−２、ａ−３端子が接続される。７をＯＮの位置にすると６のＣＮＴ端子から９へ信号が出て、１０への充電を開始する。同時にＡ／Ｄ端子から２、ａ−２を介して２２を起動、２１をＯＮとし、ａ−１、１を介して高圧が送りこまれ、１４を介して同時に１０が充電されるため、充電完了までの時間が非常に短くなる。
【００２４】
ＲａとＲｏの抵抗比によって６は積層電池の電源がつながれたと判断する。７をＳＥのポジションにセットした場合、１０への充電完了後所定時間は単体の時よりも大幅に長く設定され（例えば１０分）、その時間経過後、６のＣＮＴ端子から９へ信号が出て、９は１０への充電を停止する。
【００２５】
再充電を開始する場合は、８をＯＮすることにより、再度６のＣＮＴ端子から９へ信号が出て、１０への充電を開始する。
【００２６】
図１において１〜３に図２（ｂ）の外部電源が接続された場合それぞれｂ−１、ｂ−２、ｂ−３端子が接続される。　７をＯＮの位置にすると６のＣＮＴ端子から９へ信号が出て、１０への充電を開始する。同時にＡ／Ｄ端子から２、ｂ−２を介して２４を起動、昇圧回路によって高圧を発生、ｂ−１、１を介して高圧が送りこまれ、１４を介して同時に１０が充電されるため、充電完了までの時間が非常に短くなる。
【００２７】
ＲｂとＲｏの抵抗比によって６は乾電池と昇圧回路による電源がつながれたと判断する。７をＳＥのポジションにセットした場合、１０への充電完了後所定時間は単体の時よりも大幅に長く、積層電源がつながれた時よりは短く設定され（例えば５分）、その時間経過後、６のＣＮＴ端子から９へ信号が出て、９は１０への充電を停止する。再充電を開始する場合は、８をＯＮすることにより、再度６のＣＮＴ端子から９へ信号が出て、１０への充電を開始する。
【００２８】
図１において１〜３に図２（ｃ）の外部電源が接続された場合それぞれｃ−１、ｃ−２、ｃ−３端子が接続される。７をＯＮの位置にすると６のＣＮＴ端子から９へ信号が出て、１０への充電を開始する。同時にＡ／Ｄ端子から２、ｃ−２を介して２５を起動、昇圧回路によって高圧を発生、ｃ−１、１を介して高圧が送りこまれ、１４を介して同時に１０が充電されるため、充電完了までの時間が非常に短くなる。
【００２９】
ＲｃとＲｏの抵抗比によって６は商用電源と昇圧回路による電源がつながれたと判断する。７をＳＥのポジションにセットした場合、１０への充電完了後所定時間は単体や他の外部電源が接続された時に比べ大幅に長く設定され（例えば１時間あるいは７のＯＮと同じようにＳＥタイマーなし）、その時間経過後、６のＣＮＴ端子から９へ信号が出て、９は１０への充電を停止する。再充電を開始する場合は、８をＯＮすることにより、再度６のＣＮＴ端子から９へ信号が出て、１０への充電を開始する。
【００３０】
【発明の効果】
以上説明したように、本願発明によれば、上記の様に外部電源の容量によってＳＥタイマーの時間を変えることによって、大容量の外部電源を接続した場合にはＳＥタイマーを延ばしたり、ＳＥ機能を不作動にして、不用意にＳＥタイマーが働くことがない様にして迅速な撮影が可能とし、シャッターチャンスを逃してしまうなことがないようにすることができる。
【図面の簡単な説明】
【図１】本発明の閃光装置の回路図
【図２】上記閃光装置に接続可能な外部電源の回路図
【符号の説明】
１　外部電源接続端子（高圧）
２　外部電源接続端子（制御）
３　外部電源接続端子（ＧＮＤ）
４　閃光撮影装置に内蔵される電源
５　マイコン用の電源を作る定電圧回路
６　閃光撮影装置を制御するマイコン
７　電源スイッチ
８　ＳＥ作動時リセットをかけて再充電を開始するスイッチ
９　昇圧回路
１０　メインコンデンサー
１１　トリガー回路
１２　Ｘ接点
１３　閃光発光管
１４　高圧逆流防止用ダイオード
１５　高圧逆流防止用ダイオード
【図１】
2004004374.tif 000003
【図２】
2004004374.tif 000004